(57)【要約】【課題】光の透過を遮る遮光層と画像とが重なるように形成された透明な記録媒体において遮光層の遮光性を向上させる。【解決手段】透明フィルム１００に近い側から画像１０１および遮光層１０２Ａが順に形成された透明フィルム１００に対する定着エネルギーを、画像１０１が転写され遮光層１０２Ａが形成されない透明フィルム１００に対する定着エネルギーよりも低くする。これにより、透明フィルム１００の遮光層１０２Ａの遮光性が向上する。このため、透明フィルム１００を介して画像１０１を見た場合に、遮光層１０２Ａの遮光状態が画像１０１の透け感を抑制する上で好ましい状態になるので、遮光層１０２Ａが無い場合に比べて、画像１０１の発色性が全体的に向上する。【選択図】図７
2014106340.tif 000002
【特許請求の範囲】
【請求項１】
光の透過を遮る遮光層が画像に重なるように形成された透明な記録媒体に対する定着エネルギーを、前記遮光層が形成されず、かつ、前記画像が形成される前記透明な記録媒体に対する定着エネルギーよりも低くすることを特徴とする画像形成装置。
【請求項２】
前記透明な記録媒体に形成される透明色のトナー層において、前記遮光層を形成する透明色のトナー層の表面粗さが１０μｍ及至３０μｍであり、前記遮光層を形成しない透明色のトナー層の表面粗さが３μｍ及至１０μｍであることを特徴とする請求項１記載の画像形成装置。
【請求項３】
前記遮光層は、白色、金色または銀色のトナーを含むことを特徴とする請求項１または２記載の画像形成装置。
【請求項４】
請求項１、２または３記載の画像形成装置と、該画像形成装置に向けて画像データを出力する画像処理装置とが通信回線を介して接続され、前記画像形成装置は前記画像データを反転したデータに応じて画像形成処理を実施することを特徴とする画像形成システム。
【請求項５】
光の透過を遮る遮光層が画像に重なるように形成された透明な記録媒体に対する定着エネルギーを、前記遮光層が形成されず、かつ、前記画像が形成される前記透明な記録媒体に対する定着エネルギーよりも低くする過程をコンピュータに実行させることを特徴とする画像処理プログラム。
【請求項６】
光の透過を遮る遮光層が画像に重なるように形成される透明な記録媒体において、前記遮光層に対する定着エネルギーを、前記画像に対する定着エネルギーよりも低くすることを特徴とする画像形成装置。
【請求項７】
前記透明な記録媒体に形成される透明色のトナー層において、前記遮光層を形成する透明色のトナー層の表面粗さが１０μｍ及至３０μｍであり、前記遮光層を形成しない透明色のトナー層の表面粗さが３μｍ及至１０μｍであることを特徴とする請求項６記載の画像形成装置。
【請求項８】
前記遮光層は、白色、金色または銀色のトナーを含むことを特徴とする請求項６または７記載の画像形成装置。
【請求項９】
請求項６、７または８記載の画像形成装置と、該画像形成装置に向けて画像データを出力する画像処理装置とが通信回線を介して接続され、前記画像形成装置は前記画像データを反転したデータに応じて画像形成処理を実施することを特徴とする画像形成システム。
【請求項１０】
光の透過を遮る遮光層が画像に重なるように形成された透明な記録媒体において、前記遮光層に対する定着エネルギーを、前記画像に対する定着エネルギーよりも低くする過程をコンピュータに実行させることを特徴とする画像処理プログラム。
【発明の詳細な説明】
【技術分野】
【０００１】
本発明は、画像形成装置、画像形成システムおよび画像処理プログラムに関するものである。
【背景技術】
【０００２】
複写機、プリンタ、ファクシミリ、あるいは、これらの機能を併せ持つ画像形成装置には、電子写真方式の画像形成技術を採用した装置がある。
【０００３】
電子写真方式の画像形成技術では、感光体ドラムの表面にレーザ光を照射することより形成した静電潜像に現像装置からトナーを供給してトナー像を形成した後、その感光体ドラム表面のトナー像を記録媒体に転写し、さらにその転写されたトナー像を定着装置により記録媒体に定着している。
【０００４】
この電子写真方式の画像形成技術において、例えば特許文献１，２には透明フィルムに画像を形成する技術が開示されている。また、例えば特許文献３には、オーバーヘッドプロジェクタ（ＯＨＰ）用の印刷物を構成する透明基板上の透光性トナー画像上に透明粘着シートを貼り付けた構造が開示されている。また、例えば特許文献４には、画像支持体の画像形成面上に透明保護層を形成する技術が開示されている。また、例えば特許文献５には、低グロス（低光沢性）の画像を得るための画像形成技術が開示されている。また、例えば特許文献６には、複写モードと消色モードとを切り換え自在にした複写装置が開示されている。
【先行技術文献】
【特許文献】
【０００５】
【特許文献１】特開２００６−２２０６９４号公報
【特許文献２】特開２００９−１３４０６０号公報
【特許文献３】特開２００３−９８７１７号公報
【特許文献４】特開２０１０−１０７５４０号公報
【特許文献５】特開２００８−９７０４１号公報
【特許文献６】特開平６−５１６６９号公報
【発明の概要】
【発明が解決しようとする課題】
【０００６】
本発明は、光の透過を遮る遮光層と画像とが重なるように形成される透明な記録媒体において遮光層の遮光性を向上させることのできる技術を提供することを目的とする。
【課題を解決するための手段】
【０００７】
上記課題を解決するため、請求項１に記載の本発明の画像形成装置は、光の透過を遮る遮光層が画像に重なるように形成された透明な記録媒体に対する定着エネルギーを、前記遮光層が形成されず、かつ、前記画像が形成される前記透明な記録媒体に対する定着エネルギーよりも低くすることを特徴とする。
【０００８】
請求項２に記載の発明は、上記請求項１に記載の発明において、前記透明な記録媒体に形成される透明色のトナー層において、前記遮光層を形成する透明色のトナー層の表面粗さが１０μｍ及至３０μｍであり、前記遮光層を形成しない透明色のトナー層の表面粗さが３μｍ及至１０μｍであることを特徴とする。
【０００９】
請求項３に記載の発明は、上記請求項１または２に記載の発明において、前記遮光層は、白色、金色または銀色のトナーを含むことを特徴とする。
【００１０】
請求項４に記載の発明の画像形成システムは、上記請求項１、２または３記載の画像形成装置と、該画像形成装置に向けて画像データを出力する画像処理装置とが通信回線を介して接続され、前記画像形成装置は前記画像データを反転したデータに応じて画像形成処理を実施することを特徴とする。
【００１１】
請求項５に記載の発明の画像処理プログラムは、光の透過を遮る遮光層が画像に重なるように形成された透明な記録媒体に対する定着エネルギーを、前記遮光層が形成されず、かつ、前記画像が形成される前記透明な記録媒体に対する定着エネルギーよりも低くする過程をコンピュータに実行させることを特徴とする。
【００１２】
請求項６に記載の発明は、光の透過を遮る遮光層が画像に重なるように形成される透明な記録媒体において、前記遮光層に対する定着エネルギーを、前記画像に対する定着エネルギーよりも低くすることを特徴とする。
【００１３】
請求項７に記載の発明は、上記請求項６記載の発明において、前記透明な記録媒体に形成される透明色のトナー層において、前記遮光層を形成する透明色のトナー層の表面粗さが１０μｍ及至３０μｍであり、前記遮光層を形成しない透明色のトナー層の表面粗さが３μｍ及至１０μｍであることを特徴とする。
【００１４】
請求項８に記載の発明は、上記請求項６または７記載の発明において、前記遮光層は、白色、金色または銀色のトナーを含むことを特徴とする。
【００１５】
請求項９に記載の発明の画像形成システムは、請求項６、７または８記載の画像形成装置と、該画像形成装置に向けて画像データを出力する画像処理装置とが通信回線を介して接続され、前記画像形成装置は前記画像データを反転したデータに応じて画像形成処理を実施することを特徴とする。
【００１６】
請求項１０に記載の発明の画像処理プログラムは、光の透過を遮る遮光層が画像に重なるように形成される透明な記録媒体において、前記遮光層に対する定着エネルギーを、前記画像に対する定着エネルギーよりも低くする過程をコンピュータに実行させることを特徴とすることを特徴とする。
【発明の効果】
【００１７】
請求項１記載の発明によれば、本発明を用いない場合に比べて、透明な記録媒体の遮光層の遮光性を向上させることが可能になる。
【００１８】
請求項２記載の発明によれば、遮光層として用いる透明トナー層の遮光性を向上させることが可能になる。
【００１９】
請求項３記載の発明によれば、本発明を用いない場合に比べて、透明な記録媒体の遮光層のいいいいい遮光性をさらに向上させることが可能になる。
【００２０】
請求項４記載の発明によれば、透明な記録媒体を介して見た画像を受付画像の初期の状態と同様の状態で視認することが可能になる。
【００２１】
請求項５記載の発明によれば、本発明を用いない場合に比べて、透明な記録媒体の遮光層の遮光性を向上させることが可能な画像処理プログラムを提供することが可能になる。
【００２２】
請求項６記載の発明によれば、本発明を用いない場合に比べて、透明な記録媒体の遮光層の遮光性を向上させることが可能になる。
【００２３】
請求項７記載の発明によれば、遮光層を形成する透明トナー層の遮光性を向上させることが可能になる。
【００２４】
請求項８記載の発明によれば、本発明を用いない場合に比べて、透明な記録媒体の遮光層のいいいいい遮光性をさらに向上させることが可能になる。
【００２５】
請求項９記載の発明によれば、透明な記録媒体を介して見た画像を受付画像の初期の状態と同様の状態で視認することが可能になる。
【００２６】
請求項１０記載の発明によれば、本発明を用いない場合に比べて、透明な記録媒体の遮光層の遮光性を向上させることが可能な画像処理プログラムを提供することが可能になる。
【図面の簡単な説明】
【００２７】
【図１】本発明の一実施の形態に係る画像形成システムの一例の概念図である。
【図２】図１の画像形成システムの機能レベルの概念図である。
【図３】図１の画像形成システムの画像形成装置の一例の概念図である。
【図４】画像形成処理後の通常の透明フィルムの要部断面図である。
【図５】図２の透明フィルムの要部拡大断面図である。
【図６】図２の透明フィルムの要部拡大断面図である。
【図７】本発明の第１の実施の形態に係る画像形成処理後の透明フィルムの要部断面図である。
【図８】図７の透明フィルムの要部拡大断面図である。
【図９】遮光層が転写された透明フィルムと遮光層が転写されていない通常の透明フィルムとについて定着処理時の定着エネルギーと色再現性との関係を示したグラフの図である。
【図１０】（ａ）は遮光層が転写された透明フィルムに対して定着エネルギーＥ１で定着処理した後の透明フィルムの要部断面図、（ｂ）は遮光層が転写された透明フィルムに対して定着エネルギーＥ２で定着処理した後の透明フィルムの要部断面図である。
【図１１】本発明の第１の実施の形態に係る画像形成処理の一例のフロー図である。
【図１２】図７の透明フィルムの画像形成工程中における図３の画像形成装置の中間転写ベルトの要部断面図である。
【図１３】図１２に続く画像形成工程中の図３の画像形成装置の中間転写ベルトの要部断面図である。
【図１４】図１３に続く画像形成工程中の図３の画像形成装置の中間転写ベルトの要部断面図である。
【図１５】図１４に続く画像形成工程中の図３の画像形成装置の中間転写ベルトおよび透明フィルムの要部断面図である。
【図１６】図１５に続く画像形成工程中の透明フィルムの要部断面図である。
【図１７】本発明の第２の実施の形態に係る画像形成処理の一例のフロー図である。
【図１８】受付画像の反転処理の一例を模式的に示した概念図である。
【図１９】図１８の反転後の画像データを用いて画像を転写および定着した後の透明フィルムの斜視図である。
【図２０】本発明の第３の実施の形態に係る画像形成処理後の透明フィルムの要部断面図である。
【図２１】図２０の透明フィルムの要部拡大断面図である。
【図２２】図２０の透明フィルムの画像形成工程中における図３の画像形成装置の中間転写ベルトの要部断面図である。
【図２３】図２２に続く画像形成工程中の図３の画像形成装置の中間転写ベルトの要部断面図である。
【図２４】図２３に続く画像形成工程中の透明フィルムの要部断面図である。
【図２５】図２４に続く画像形成工程中の図３の画像形成装置の中間転写ベルトの要部断面図である。
【図２６】図２５に続く画像形成工程中の図３の画像形成装置の中間転写ベルトの要部断面図である。
【図２７】図２６に続く画像形成工程中の透明フィルムの要部断面図である。
【図２８】本発明の第４の実施の形態に係る画像形成処理後の透明フィルムの要部断面図である。
【発明を実施するための形態】
【００２８】
以下、本発明の一例としての実施の形態について、図面に基づいて詳細に説明する。なお、実施の形態を説明するための図面において、同一の構成要素には原則として同一の符号を付し、その繰り返しの説明は省略する。
【００２９】
（第１の実施の形態）
【００３０】
図１は第１の実施の形態の画像形成システム１の一例の概念図である。
【００３１】
画像形成システム１は、画像形成装置２とコンピュータ３とを有している。
【００３２】
画像形成装置２は、画像処理装置２Ａと画像出力装置２Ｂとを備え、コンピュータ３から受け付けた画像データを基に画像処理および画像形成処理を実施する。
【００３３】
画像形成装置２の画像処理装置２Ａは、コンピュータ３から受け付けた画像データに対して、例えば、Ａ／Ｄ（Ａｎａｌｏｇ／Ｄｉｇｉｔａｌ）変換、濃度補正およびシェーディング補正のような予め決められた画像処理を施す。
【００３４】
画像形成装置２の画像出力装置２Ｂは、制御部２ＢＣと画像形成部２ＢＭとを有している。
【００３５】
画像出力装置２Ｂの制御部２ＢＣは、画像処理装置２Ａからの画像データを画像形成部２ＢＭへ出力するとともに、画像形成処理を開始すべき旨の命令を画像形成部２ＢＭへ出力する。
【００３６】
画像出力装置２Ｂの画像形成部２ＢＭは、画像形成手段の機能を有しており、上記画像形成処理を開始すべき旨の命令に従って、受け付けた画像データに基づいて画像形成処理を実行し、この画像形成処理の結果として、画像が形成された透明フィルム等を出力する。
【００３７】
次に、図２は、図１の画像形成システム１の機能レベルの概念図を示している。
【００３８】
画像形成システム１は、画像形成装置２とコンピュータ３とが通信回線４を介して接続されることで構成されている。
【００３９】
コンピュータ３は、処理装置（クライアント装置）として機能するものであり、ＣＰＵ（Ｃｅｎｔｒａｌ  Ｐｒｏｃｅｓｓｉｎｇ  Ｕｎｉｔ：中央演算処理装置）３Ｃ、ハードディスク等の記憶装置３Ｍ１、ＲＡＭ（Ｒａｎｄｏｍ  Ａｃｃｅｓｓ  Ｍｅｍｏｒｙ：随時書き込み読み出しメモリ）等のメモリ３Ｍ２および通信インタフェース（以下、通信Ｉ／Ｆという）３ＩＦを備えている。
【００４０】
記憶装置３Ｍ１は、文書の生成や画像形成の要求を発行するアプリケーションソフトウェア、プリンタドライバ、ページ記述言語（Ｐａｇｅ  Ｄｅｓｃｒｉｐｔｉｏｎ  Ｌａｎｇｕａｇｅ：以下、ＰＤＬという）データ等の各種の画像データを記憶する。
【００４１】
メモリ３Ｍ２は、記憶装置３Ｍ１から読み出されたプログラムやデータを記憶する。
【００４２】
通信Ｉ／Ｆ３ＩＦは、通信回線４を介して、画像形成装置２との間でデータの送受信を行うインタフェースである。
【００４３】
ＣＰＵ３Ｃは、コンピュータ３の全体を制御するものであり、例えば、記憶装置３Ｍ１からメモリ３Ｍ２へプリンタドライバを読み込んで実行する。これにより、画像データ（ＰＤＬデータ等）が画像形成装置２に向けて送信される。
【００４４】
一方、画像形成装置２の画像処理装置２Ａは、ＣＰＵ２ＡＣ、ハードディスク等の記憶装置２ＡＭ１、ＲＡＭ２ＡＭ２，ＲＯＭ２ＡＭ３および通信Ｉ／Ｆ２ＡＩＦを備えている。
【００４５】
記憶装置２ＡＭ１は、ソフトウェアである画像処理プログラム（画像処理プログラムの一例）ＰＤなど、画像形成処理を実施するのに必要な各種のプログラムやデータを記憶している。
【００４６】
画像処理プログラムＰＤは、画像処理装置２ＡのＰＤＬ解釈部、描画部、画像データ解析部および画像処理部（色変換部、階調補正部および網点生成部）のそれぞれの機能を実現させるためのプログラム（ソフトウェア）を含んでいる。
【００４７】
ＲＯＭ２ＡＭ３は、色パラメータ、階調パラメータ、および網点パラメータの各デフォルト値、色範囲情報など、画像処理に必要なデータを記憶している。
【００４８】
ＲＡＭ２ＡＭ２は、記憶装置２ＡＭ１から読み出された画像処理プログラムＰＤや通信Ｉ／Ｆ２ＡＩＦを介して受信された画像データなどを記憶する。
【００４９】
また、ＲＡＭ２ＡＭ２には、画像データを記憶する領域および描画データを記憶する領域の他、少なくとも以下の（ａ），（ｂ）の各記憶領域が割り当てられる。
【００５０】
（ａ）色変換部の色パラメータ記憶部、階調補正部の階調パラメータ記憶部および網点生成部の網点パラメータ記憶部として機能する記憶領域（デフォルト値としての各パラメータを記憶する領域）である。すなわち、ＲＯＭ２ＡＭ３から読み込まれたデフォルト値としてのパラメータを記憶する記憶領域である。
【００５１】
（ｂ）色変換処理、階調補正処理、スクリーン処理の各処理過程や処理結果などを記憶する記憶領域等である。
【００５２】
ＣＰＵ２ＡＣは、画像形成装置２の全体を制御するものであり、例えば、記憶装置２ＡＭ１からＲＡＭ２ＡＭ２へ画像処理プログラムＰＤを読み込んで実行することにより、画像データを生成して、画像出力装置２Ｂに向けて出力する。
【００５３】
通信Ｉ／Ｆ２ＡＩＦは、通信回線４を介して、コンピュータ３との間でデータの送受信を行うインタフェースであり、例えば、コンピュータ３から送信された画像データを受信する。
【００５４】
通信回線４としては、ローカルエリアネットワーク（Ｌｏｃａｌ  Ａｒｅａ  Ｎｅｔｗｏｒｋ：以下、ＬＡＮと略す）や電話回線などの有線通信回線、無線ＬＡＮなどの無線通信回線、さらには、これらの通信回線を組み合わせたもの、などが挙げられる。
【００５５】
ここでは、画像処理装置２Ａの各機能を実現し、上記画像処理の処理手順を示すプログラムを含む画像処理プログラムを、記録媒体としてのハードディスク等の記憶装置２ＡＭ１に記録する場合について説明したが、当該画像処理プログラムを次のようにして提供しても良い。
【００５６】
すなわち、上記画像処理プログラムをＲＯＭ２ＡＭ３に格納しておき、ＣＰＵ２ＡＣが、このプログラムをこのＲＯＭ２ＡＭ３から記憶装置２ＡＭ１やメモリ２ＡＭ２へローディングして実行するようにしても良い。
【００５７】
また、上記画像処理プログラムを、ＤＶＤ−ＲＯＭ、ＣＤ−ＲＯＭ、ＭＯ（光磁気ディスク）、フレキシブルディスク等、コンピュータで読み取り自在な記録媒体に格納して配布するようにしても良い。この場合、その記録媒体に記録されたプログラムを画像処理装置２Ａがインストールした後、このプログラムをＣＰＵ２ＡＣが実行するようにする。このプログラムのインストール先としては、ＲＡＭ２ＡＭ２等のメモリやハードディスク等の記憶装置２ＡＭ１がある。そして、画像処理装置２Ａは、必要に応じてこの記憶装置に記憶したプログラムを記憶装置２ＡＭ１にローディングして実行する。
【００５８】
さらには、通信回線（例えばインターネット）を介して画像処理装置２Ａをサーバ装置あるいはホストコンピュータ等のコンピュータと接続するようにし、当該画像処理装置２Ａが、サーバ装置あるいはコンピュータから上記画像処理プログラムをダウンロードした後、このプログラムを実行するようにしても良い。この場合、このプログラムのダウンロード先としては、ＲＡＭ２ＡＭ２等のメモリやハードディスクなどの記憶装置２ＡＭ１がある。そして、当該画像処理装置２Ａが、必要に応じてこの記憶装置に記憶された上記プログラムを記憶装置２ＡＭ１にローディングして実行するようにする。
【００５９】
次に、図３は図１の画像形成システムの画像形成装置２の一例の概念図である。なお、図３は画像形成装置２の機構系を示しており、画像処理装置２Ａや制御部２ＢＣは図示を省略している。
【００６０】
本実施の形態の画像形成装置２は、例えばタンデム型のカラープリンタであり、複数の作像ユニット２０と、中間転写ベルト３０と、バックアップロール４１および二次転写ロール４２の対と、供給手段５０ａ，５０ｂと、搬送系６０と、定着装置（定着手段の一例）７０と、冷却装置８０と、排出手段９０とを備えている。
【００６１】
作像ユニット２０は、例えばイエロー、マゼンタ、シアンおよびブラックの各色のトナー（現像剤の一例）像を形成する４つのカラー用の作像ユニット２０Ｙ，２０Ｍ，２０Ｃ，２０Ｋと、例えば白色のトナー像を転写する白色用の作像ユニット２０Ｗと、例えば透明色のトナー像を転写する透明色用の作像ユニット２０ＣＬとを備えており、各色の画像データに応じて形成した画像を中間転写ベルト３０に一次転写するようになっている。白色に代えて、例えば金色または銀色のトナーを用いても良い。
【００６２】
これら６基の作像ユニット２０ＣＬ，２０Ｗ，２０Ｙ、２０Ｍ、２０Ｃ、２０Ｋは中間転写ベルト３０の回転方向に沿って透明色、白色、イエロー、マゼンタ、シアンおよびブラックの各色の順に配置されている。
【００６３】
各作像ユニット２０は、感光体ドラム２１と、感光体ドラム２１の表面を規定の電位に帯電させる帯電装置２２と、帯電された感光体ドラム２１上にレーザ光ＬＢを照射して静電潜像を形成する露光装置２３と、感光体ドラム２１上に形成された静電潜像を現像してトナー像を形成する現像装置２４と、感光体ドラム２１上のトナー像を一次転写部において中間転写ベルト３０に転写する一次転写ロール２５と、トナー像を転写した後の感光体ドラム２１の表面から残留トナーや紙粉を除去するドラムクリーナ２６とを備えている。なお、各作像ユニット２０の上方には、現像装置２４に各色のトナーを供給するトナーカートリッジ２７が設置されている。
【００６４】
各作像ユニット２０の一次転写ロール２５は、各感光体ドラム２１との間に中間転写ベルト３０を挟むようにして配置されている。そして、各一次転写ロール２５にトナーの帯電電極に対して逆極性の転写バイアス電圧が印加されることにより、感光体ドラム２１と一次転写ロール２５との間に電界が形成され、感光体ドラム２１上で電荷を帯びているトナー像がクーロン力により中間転写ベルト３０に転写されるようになっている。なお、感光体ドラム２１は一次転写に際して時計回りの方向に回転する。
【００６５】
上記した中間転写ベルト３０は、各作像ユニット２０により形成された各色成分のトナー像が順次転写（一次転写）され保持される部材である。この中間転写ベルト３０は、複数の支持ロール３１ａ，３１ｂ，３１ｃ，３１ｄ，３１ｅ，３１ｆおよびバックアップロール４１に掛け渡された状態で無端状に形成されており、反時計回りの周方向に回転しながら各色の作像ユニット２０ＣＬ，２０Ｗ，２０Ｙ，２０Ｍ，２０Ｃ，２０Ｋで形成されたトナー像の一次転写を受けるようになっている。
【００６６】
上記バックアップロール４１および二次転写ロール４２の対は、中間転写ベルト３０上に多重転写されたトナー像を透明フィルム等に一括転写（二次転写）してフルカラーの画像を形成するための機構部であり、中間転写ベルト３０を挟んで互いに対向した状態で配置されている。バックアップロール４１と二次転写ロール４２との対向部が二次転写部になっている。
【００６７】
バックアップロール４１は、中間転写ベルト３０の裏面側に回転自在に設置され、二次転写ロール４２は、中間転写ベルト３０のトナー像の転写面に対向した状態で回転自在に設置されている。バックアップロール４１と二次転写ロール４２とは、その各々の回転軸方向（図１紙面に垂直な方向）が互いに沿うように配置されている。
【００６８】
中間転写ベルト３０のトナー像の転写においては、バックアップロール４１にトナーの帯電極性と同極性の電圧を印加するか、または、二次転写ロール４２にトナーの帯電極性と逆極性の電圧を印加する。これにより、バックアップロール４１と二次転写ロール４２との間に転写電界が形成され、中間転写ベルト３０上に保持された未定着のトナーによる画像が透明フィルム等に転写される。
【００６９】
上記供給手段５０ａ，５０ｂには、それぞれ透明フィルムが収容されている。供給手段５０ａ，５０ｂ内の透明フィルムは、搬送系６０のピックアップロール（図示せず）により引き出された後、搬送系６０の搬送路６１ａを通じて搬送系６０のレジストロール６２に搬送され、ここでタイミングが制御され二次転写部に導入されて画像が転写される。
【００７０】
トナーによる画像が転写された透明フィルム等は、搬送系６０の搬送ベルト６３，６４を通じて定着装置７０へと搬送される。定着装置７０は、二次転写部において透明フィルム等に転写された未定着の画像を熱と圧力とにより定着させる装置である。ここでは定着装置７０として、例えばベルトを用いて加熱する定着装置７０が採用されている。この定着装置７０は、加熱ロール７１と、これに対向する位置に設けられた加圧ロール７２と、それらの間の定着ニップ部Ｎを通過するように設けられた加熱ベルト７３とを備えている。
【００７１】
二次転写後の透明フィルム等は、上記定着ニップ部Ｎに搬送され、加熱ロール７１および加熱ベルト７３により加熱されるとともに、加圧ロール７２により加圧される。これにより、透明フィルム等の未定着の画像が定着される。ただし、定着装置７０は、上記した定着装置７０に限定されるものではなく、例えば加熱ロールと加圧ロールとを対向させた状態で備える定着装置を採用しても良い。
【００７２】
定着処理が終了した透明フィルム等は、搬送系６０の搬送ベルト６５を通じて冷却装置８０に搬送される。冷却装置８０は、定着処理後の透明フィルム等を冷却する装置である。ここでは、冷却装置８０として、例えば放熱用のフィン部を備えるものが採用されている。
【００７３】
冷却後の透明フィルム等は、搬送系６０の搬送路６１ｂを通じて画像形成装置２の外部の排出手段９０に排出されるようになっている。搬送路６１ｂの搬送下流であって排出手段９０の搬送上流には、搬送経路を切り換える手段６６ａ，６６ｂが搬送上流から搬送下流に沿って順に設置されている。
【００７４】
搬送上流側の経路を切り換える手段６６ａは、透明フィルム等の両面に画像を形成する場合に、搬送路６１ｂの透明フィルム等を反転経路６１ｃに搬送するように経路を切り換える手段である。すなわち、搬送路６１ｂの透明フィルム等は、手段６６ａにより反転経路６１ｃに搬送され、搬送路６１ａに戻され再度二次転写部に搬送される。この場合、二次転写部では透明フィルム等の既に画像が定着されている面の裏面に画像が転写される。
【００７５】
一方、搬送下流側の経路を切り換える手段６６ｂは、透明フィルム等の既に画像が定着されている面と同一面に画像を重ねる場合に、搬送路６１ｂの透明フィルム等を反転経路６１ｃに搬送するように経路を切り換える手段である。すなわち、搬送路６１ｂの透明フィルム等は、下端の一部を残して排出手段９０側に排出された後に手段６６ｂを介して反転経路６１ｃに搬送され、搬送路６１ａに戻され再度二次転写部に搬送される。この場合、二次転写部では透明フィルム等の既に画像が定着された面に画像が重ねられて転写される。
【００７６】
次に、図４は画像形成処理後の通常の透明フィルム１００の要部断面図、図５および図６は図４の透明フィルム１００の要部拡大断面図である。
【００７７】
図４、図５および図６の透明フィルム（透明な記録媒体の一例）１００の第１の面の裏側の第２の面には、画像１０１（１０１ｙ，１０１ｍ，１０１ｃ）が各色のトナーにより形成されている。なお、図４および図５においては画像１０１の色の違いに応じてハッチングを変えている。例えば画像１０１ｙはイエロー、画像１０１ｍはマゼンタ、画像１０１ｃはシアンのトナーにより形成されている。
【００７８】
図５に示すように、画像１０１は、透明フィルム１００の第１の面側から入射した光Ｌ１が、透明フィルム１００を透過して第２の面の画像１０１に当たり反射（正反射および乱反射）した光Ｌ２により認識される。しかし、画像１０１に当たった光Ｌ１の一部が、画像１０１を透過してしまう場合や隣接する各色の画像１０１の境界においてトナーの濃度が低くなっている部分を通じて透過してしまう場合があり、いずれの場合も画像１０１が不鮮明になってしまう。
【００７９】
また、図６に示すように、透明フィルム１００に通常に画像１０１を形成した場合、透明フィルム１００の第２の面側からの光Ｌ３が画像１０１を透過することで画像１０１に透け感（像が透けたような印象、以下同じ）が生じ発色が弱くなる場合がある。
【００８０】
そこで、本実施の形態においては、透明フィルム１００の構成を以下のようにした。図７は本実施の形態における画像形成処理後の透明フィルム１００の要部断面図、図８は図７の透明フィルム１００の要部拡大断面図である。
【００８１】
図７および図８の透明フィルム（透明な記録媒体の一例）１００は、例えばシュリンクラベルやインモールドラベルに使用されるもので、例えばポリ塩化ビニル、ポリプロピレン、ポリエチレン、ポリスチレン、ポリオレフィンまたはポリエチレンテレフタレート等のような透明基材からなり、画像を視認する側の第１の面と、その裏側の第２の面とを有している。
【００８２】
透明フィルム１００の第２の面には、画像１０１（１０１ｙ，１０１ｍ，１０１ｃ）が、上記トナーにより形成されている。なお、図７および図８においても画像１０１の色の違いに応じてハッチングを変えている。
【００８３】
そして、本実施の形態においては、透明フィルム１００の第２の面において画像１０１に重なるように遮光層１０２Ａが形成されている。遮光層１０２Ａは、光の透過を遮る性質を有しており、例えば白色、金色または銀色のように、光を吸収する黒色や他の色よりも明度および光の反射率が高い等の特徴を持つ色のトナーにより形成されている。これにより、他の色を用いた場合に比べて遮光層１０２Ａの遮光性が向上する。
【００８４】
また、遮光層１０２Ａは、その表面粗さが、通常のトナー像（例えば画像１０１）の表面粗さよりも粗くなるように形成されている。通常のトナー像（例えば画像１０１）の表面粗さは、例えば３μｍ乃至１０μｍの範囲であり、例えば５μｍである。これに対して、遮光層１０２Ａの表面粗さは、例えば１０μｍ乃至３０μｍの範囲であり、例えば２０μｍである。これにより、遮光層１０２Ａの遮光性が向上する。
【００８５】
本実施の形態においては、図８に示すように、透明フィルム１００の第１の面側から透明フィルム１００を透過して第２の面の画像１０１に当たった光の一部が画像１０１を透過してしまっても遮光層１０２Ａに当たり、そのうちの一部が反射（正反射、乱反射またはその両方）する。また、透明フィルム１００の第１の面側から入射した光Ｌ１が、隣接する各色の画像１０１の境界の低濃度部分を透過した場合も遮光層１０２Ａに当たり、そのうちの一部が反射（正反射、乱反射またはその両方）する。さらに、透明フィルム１００に対して第２の面側から入射した光Ｌ３も遮光層１０２Ａにより反射される。これらにより、透明フィルム１００を介して見た画像１０１の透け感が抑制されるので、遮光層１０２Ａが無い場合に比べて画像１０１の発色性が全体的に向上する。
【００８６】
また、遮光層１０２Ａを形成するトナーは、一般的に画像形成装置２で使用されており、遮光層１０２Ａを形成するからといって画像形成装置２の構成が複雑になることもない。
【００８７】
また、画像１０１が遮光層１０２Ａおよび透明フィルム１００により保護されているので、画像１０１の損傷や剥離が抑制または防止される。
【００８８】
次に、図９は遮光層１０２Ａが形成された透明フィルム１００と遮光層１０２Ａが形成されない透明フィルム１００とについて定着処理時の定着エネルギーと色再現性との関係を示したグラフの図である。
【００８９】
実線Ａは遮光層１０２Ａが形成された透明フィルム１００、破線Ｂは遮光層１０２Ａが形成されない透明フィルム１００の結果を示している。遮光層１０２Ａが形成された透明フィルム１００において色再現性が良好な値を示す定着エネルギーＥ１は、遮光層１０２Ａが形成されない透明フィルム１００において色再現性が良好な値を示す定着エネルギーＥ２よりも低いことが分かる。
【００９０】
また、図１０（ａ）は遮光層１０２Ａが形成された透明フィルム１００に対して定着エネルギーＥ１で定着処理した後の透明フィルム１００の要部断面図、同図（ｂ）は遮光層１０２Ａが形成された透明フィルム１００に対して定着エネルギーＥ２で定着処理した後の透明フィルム１００の要部断面図を示している。
【００９１】
図１０（ａ）に示すように、透明フィルム１００に対して定着エネルギーＥ１で定着処理を施した場合は、定着処理後も画像１０１の層と遮光層１０２Ａとの状態が維持されている。これに対して、図１０（ｂ）に示すように、透明フィルム１００に対して定着エネルギーＥ２で定着処理を施した場合は、画像１０１のトナーと遮光層１０２Ａのトナーとが混ざり合い画像１０１が不鮮明になってしまう。
【００９２】
そこで、本実施の形態においては、遮光層１０２Ａが形成された透明フィルム１００に対する定着エネルギーを、遮光層１０２Ａが形成されない透明フィルム１００に対する定着エネルギーよりも低くする。これを図１１の画像形成処理の一例のフロー図を参照して説明する。
【００９３】
まず、透明フィルム１００に画像を転写して形成する（ステップ５００）。透明フィルム１００には、遮光層１０２Ａを形成する場合と形成しない場合とがある。
【００９４】
続いて、遮光層の有無を判断する（ステップ５０１）。遮光層の有無については、上記のように画像処理装置２Ａに送られた画像データに基づいて判断する。
【００９５】
ここで、遮光層が形成された場合は、透明フィルム１００に対して上記した定着エネルギーＥ１で定着処理を施す（ステップ５０２Ａ）。この定着エネルギーＥ１は、遮光層が形成されない透明フィルム１００に対する定着処理時の定着エネルギーＥ２よりも低く設定する。この定着エネルギーＥ１の設定は、例えば、遮光層が形成されない透明フィルム１００に対する場合よりも、定着温度を下げる、定着圧力を下げる、または定着処理の時間を短くする、あるいはこれらの２以上の組み合わせることにより行う。この２以上の組み合わせについては、例えば、加熱および加圧しながらも定着時間を短くすることで定着エネルギーを低くする等、加熱、加圧および時間のいずれかの要素を大きくし、それ以外の要素を小さくことで結果的に定着エネルギーを下げるように制御しても良い。
【００９６】
このように遮光層１０２Ａが形成された透明フィルム１００においては定着エネルギーＥ２よりも低い定着エネルギーＥ１で定着処理を施すことにより、遮光層１０２Ａと画像１０１との混濁が抑制または防止されるので、高い定着エネルギーＥ２で定着した場合に比べて、遮光層１０２Ａを持つ透明フィルム１００の画像１０１の色再現性が向上する。
【００９７】
また、遮光層１０２Ａが形成された透明フィルム１００においては定着エネルギーＥ２よりも低い定着エネルギーＥ１で定着処理を施すことにより、遮光層１０２Ａの層の状態が維持されるとともに、高い定着エネルギーＥ２で定着した場合に比べて、上記のように遮光層１０２Ａの表面粗さが粗くなり遮光層１０２Ａの表面の光沢性が下がり透明性が下がる（遮光性が上がる）。このため、透明フィルム１００の第１の面側から透明フィルム１００を介して画像１０１を見た場合に、遮光層１０２Ａの遮光状態が画像１０１の透け感を抑制する上で好ましい状態になるので、遮光層１０２Ａが無い場合に比べて、画像１０１の発色性が全体的に向上する。
【００９８】
一方、図１１のステップ５０１において、遮光層１０２Ａが無い場合は、透明フィルム１００に対して上記した定着エネルギーＥ２で定着処理を施す（ステップ５０２Ｂ）。
【００９９】
このように遮光層１０２Ａが形成されない透明フィルム１００においては定着エネルギーＥ１よりも高い定着エネルギーＥ２で定着処理を施すことにより、低い定着エネルギーＥ１で定着した場合に比べて、画像１０１のトナーが良好に溶融され画像１０１の表面粗さが小さくなり画像１０１の表面の光沢性が上がるので、透明フィルム１００の画像１０１の画質および色再現性が向上する。
【０１００】
以上のようにして透明フィルム１００に対する画像形成処理を終了する。ただし、上記の説明では、画像形成装置２において、画像が形成された透明フィルム１００に遮光層１０２Ａを形成する場合と形成しない場合との両方に対する画像形成処理が行われる場合について説明したが、これに限定されるものではない。
【０１０１】
すなわち、画像形成装置２において、遮光層１０２Ａが形成された透明フィルム１００に対してのみ画像形成処理が行われる場合（すなわち、遮光層１０２Ａが形成されない透明フィルム１００は流れていない場合）でも適用される。この場合も、遮光層１０２Ａが形成された透明フィルム１００に対して低い定着エネルギーＥ１（すなわち、遮光層１０２Ａが形成されない透明フィルム１００に対して画像の定着のために通常与えるべき定着エネルギーＥ２よりも低い定着エネルギーＥ１）で定着処理を施す。これにより、上記のような遮光層１０２Ａが形成された透明フィルム１００における作用効果が得られる。
【０１０２】
次に、透明フィルム１００の第２の面に画像１０１および遮光層１０２Ａを形成する方法の一例について図３、図１２、図１３、図１４、図１５および図１６等を参照して説明する。
【０１０３】
まず、図１２に示すように、画像形成装置２（図３等参照）の中間転写ベルト３０の転写領域に、例えば作像ユニット２０Ｗにより白色の遮光層１０２Ａを転写する。続いて、中間転写ベルト３０の転写領域を作像ユニット２０Ｙの下に移動し、図１３に示すように、例えば作像ユニット２０Ｙによりイエローのトナーの画像１０１ｙを遮光層１０２Ａ上に転写する。続いて、中間転写ベルト３０の転写領域を作像ユニット２０Ｍ，２０Ｃの下に順に移動し、図１４に示すように、例えば作像ユニット２０Ｍ，２０Ｃによりマゼンタ、シアンのトナーの画像１０１ｍ，１０１ｃを順に遮光層１０２Ａ上に転写する。
【０１０４】
次いで、図１５に示すように、中間転写ベルト３０の転写領域を二次転写部に移動するとともに、透明フィルム１００をレジストロール６２によりタイミングを合わせてして二次転写部に搬送する。続いて、図１６に示すように、中間転写ベルト３０の遮光層１０２Ａおよび画像１０１を透明フィルム１００の第２の面に転写して形成する。
【０１０５】
その後、遮光層１０２Ａおよび画像１０１が形成された透明フィルム１００を定着装置７０に搬送して定着処理を施す。ここでは、遮光層１０２Ａの無い画像１０１だけが転写された透明フィルム１００に対する定着エネルギーＥ２よりも低い定着エネルギーＥ１にする。
【０１０６】
例えば遮光層１０２Ａが形成された透明フィルム１００に対する定着温度を、遮光層１０２Ａの無い画像１０１だけが転写された透明フィルム１００に対する定着温度（例えば１９０乃至２１０℃）よりも低い定着温度（例えば１６０乃至１８０℃）に設定する。
【０１０７】
または、遮光層１０２Ａが転写された透明フィルム１００に対する定着時間を、遮光層１０２Ａの無い画像１０１だけが転写された透明フィルム１００に対する定着時間（例えば５０乃至６０ミリ秒）よりも短い定着時間（例えば３０乃至４０ミリ秒）に設定する。定着時間は、透明フィルム１００が定着装置７０の定着ニップ部Ｎを通過する速度、もしくは定着ニップ幅を変化させることで設定する。なお、上記したように定着エネルギーＥ１の設定については、定着温度、定着圧力および定着時間の２つ以上を組み合わせて設定しても良い。
【０１０８】
このようにして透明フィルム１００の画像形成処理を終了する。
【０１０９】
（第２の実施の形態）
【０１１０】
図１７は第２の実施の形態の画像形成処理の一例のフロー図である。
【０１１１】
本実施の形態においては、まず、透明フィルムに転写する画像の対象として図１等の画像処理装置２Ａにより受け付けられた初期の受付画像を反転させるか否かを判断する（ステップ６００）。受付画像の反転が必要な場合は、受付画像を反転処理する（ステップ６０１）。そして、反転処理後の反転画像のデータを用いて画像を転写する（ステップ６０２）。
【０１１２】
一方、図１７のステップ６００において、受付画像の反転を不要とする場合は、受付画像に対して反転処理をせずに、初期の受付画像のデータを用いて透明フィルムに画像を転写する（ステップ６０２）。
【０１１３】
図１８は受付画像の反転処理の一例を模式的に示している。図１８の上側が画像形成の対象として図１等の画像処理装置２Ａにより受け付けられた初期の受付画像１０１Ｄ１のデータの一例を模式的に示している。また、図１８の下側は受付画像１０１Ｄ１のデータに対して反転処理を施した後の画像１０１Ｄ２のデータの一例を模式的に示している。
【０１１４】
また、図１９は図１８の反転処理後の画像１０１Ｄ２のデータを用いて画像１０１を転写および定着した後の透明フィルム１００の斜視図を示している。受付画像１０１Ｄ１のデータに対して反転処理を施すことにより、透明フィルム１００を介して見た画像１０１（透明フィルム１００の第１の面側から見た画像１０１）が、図１８の初期の受付画像１０１Ｄ１のデータと同様の状態で視認される。
【０１１５】
（第３の実施の形態）
【０１１６】
図２０は第３の実施の形態における画像形成処理後の透明フィルム１００の要部断面図、図２１は図２０の透明フィルム１００の要部拡大断面図である。
【０１１７】
本実施の形態においては、透明フィルム１００の第２の面において画像１０１に重ねられた遮光層１０２Ｂが、例えば透明色のトナーにより形成されている。
【０１１８】
なお、透明フィルム１００を記録媒体として用いる場合、透明フィルム１００に定着された画像１０１の付着強度が低いので、画像１０１を透明色のトナー層でコーティングして保護する場合がある。したがって、透明色のトナー層は、遮光層として用いる場合と、遮光層として用いていない場合（すなわち、光が透過する保護層として用いる場合）との双方がある。
【０１１９】
ただし、透明色のトナー層を遮光層１０２Ｂとして用いる場合は、その表面粗さを通常のトナー像（例えば画像１０１）や遮光層として用いていない透明色のトナー層の表面粗さよりも粗くして遮光層１０２Ｂの表面の光沢性を低くしたり、遮光層１０２Ｂの厚さを画像１０１や遮光層として用いていない透明色のトナー層よりも厚くして遮光層１０２Ｂの遮光性を上げたり、これらを組み合わせたりする等、遮光層１０２Ｂの遮光性が画像１０１や遮光層として用いていない透明色のトナー層よりも上がるようにすることが好ましい。
【０１２０】
通常のトナー像（例えば画像１０１）や遮光層として用いていない透明色のトナー層の表面粗さは、上記のように、例えば３μｍ乃至１０μｍの範囲であり、例えば５μｍである。これに対して、遮光層１０２Ｂの表面粗さは、例えば１０μｍ乃至３０μｍの範囲であり、例えば２０μｍである。これにより、遮光層１０２Ｂの遮光性が向上する。
【０１２１】
透明色のトナー層の表面粗さを変えるには、定着処理時の制御により行えば良い。すなわち、透明色のトナー層を遮光層として用いる場合と遮光層として用いない場合とで定着エネルギーを変えれば良い。例えば透明色のトナー層を遮光層１０２Ｂとして用いる場合は、その定着エネルギーを、透明色のトナー層を遮光層として用いない場合における定着エネルギーよりも低くすれば良い。これにより、透明色のトナー層でも、光が透過する保護層としての用い方と、光が透過し難い遮光層としての用い方とに使い分けられる。
【０１２２】
図２０および図２１では、遮光層１０２Ｂの表面の状態が粗くなるように形成されている場合が例示されている。
【０１２３】
本実施の形態においては、図８で説明したのと同様に、透明フィルム１００の第１の面側から透明フィルム１００を透過して第２の面の画像１０１に当たった光の一部が画像１０１を透過してしまっても遮光層１０２Ｂに当たり、そのうちの一部が反射（正反射、乱反射またはその両方）する。また、透明フィルム１００の第１の面側から入射した光Ｌ１が、隣接する各色の画像１０１の境界の低濃度部分を透過した場合も遮光層１０２Ｂに当たり、そのうちの一部が反射（正反射、乱反射またはその両方）する。さらに、図２１に示すように、透明フィルム１００に対して第２の面側から入射した光Ｌ３が遮光層１０２Ｂにより光Ｌ４で示すように拡散する。これらにより、遮光層１０２Ｂが無い場合に比べて、透明フィルム１００の第１の面側から透明フィルム１００を介して見た画像１０１の透け感が抑制されるので、画像１０１の発色性が向上する。
【０１２４】
また、遮光層１０２Ｂを形成する透明色のトナーも、一般的に画像形成装置２で使用されており、遮光層１０２Ｂを形成するからといって画像形成装置２の構成が複雑になることはない。
【０１２５】
また、画像１０１が遮光層１０２Ｂおよび透明フィルム１００により保護されているので、画像１０１の損傷や剥離が抑制または防止される。
【０１２６】
なお、画像支持体上のカラー画像上に透明保護層を形成する特許文献４では、透明保護層を介してカラー画像を視認する関係上、透明保護層の表面の平坦性が高く光散乱が抑制されており、透明保護層の透明性が確保されている。したがって、特許文献４の透明保護層は、透明色のトナー層を保護層としてのみ用いたもので、本実施の形態の遮光層１０２Ｂとは異なるものである。
【０１２７】
次に、透明フィルム１００の第２の面に画像１０１および遮光層１０２Ｂを形成する方法の一例について図３、図２２、図２３、図２４、図２５、図２６および図２７を参照して説明する。
【０１２８】
まず、図２２に示すように、画像形成装置２（図３参照）の中間転写ベルト３０の転写領域に、例えばイエロー、マゼンタ、シアン等のトナーの画像１０１ｙ，１０１ｍ，１０１ｃを順に転写する。
【０１２９】
続いて、図２３に示すように、中間転写ベルト３０の転写領域を二次転写部に移動するとともに、透明フィルム１００をレジストロール６２によりタイミングを合わせて二次転写部に搬送する。続いて、図２４に示すように、中間転写ベルト３０の画像１０１を透明フィルム１００の第２の面に転写する。
【０１３０】
その後、画像１０１が転写された透明フィルム１００を図３の画像形成装置２の定着装置７０に搬送して定着処理を施す。ここでは、遮光層の無い透明フィルムに対する定着エネルギーＥ２（定着温度、定着圧力および定着時間）で定着処理を施して透明フィルム１００に画像１０１を定着させる。この場合、画像１０１のトナーが良好に溶融することにより、低い定着エネルギーＥ１で定着する場合に比べ、画像１０１の表面粗さが小さくなり画像１０１の表面の光沢性が上がる。したがって、低い定着エネルギーＥ１で定着する場合よりも透明フィルム１００に定着される画像１０１の画質および色再現性が向上する。
【０１３１】
次いで、定着処理後の透明フィルム１００を図３の画像形成装置２の搬送路６１ｂに搬送し、冷却装置８０を経て搬送路６１ｂから経路を切り換える手段６６ｂにより反転経路６１ｃに搬送して搬送路６１ａに送り返す。
【０１３２】
この時、図２５に示すように、図３の画像形成装置２の中間転写ベルト３０の転写領域に、作像ユニット２０ＣＬにより透明色のトナーによる遮光層１０２Ｂを転写する。続いて、図２６に示すように、中間転写ベルト３０の転写領域を二次転写部に移動するとともに、上記搬送路６１ａに戻された画像形成後の透明フィルム１００をレジストロール６２によりタイミングを合わせてして二次転写部に再度搬送する。その後、図２７に示すように、中間転写ベルト３０の遮光層１０２Ｂを透明フィルム１００の第２の面の画像１０１に重なるように転写する。
【０１３３】
その後、遮光層１０２Ｂが転写された透明フィルム１００を図３の画像形成装置２の定着装置７０に搬送して定着処理を施す。このように画像１０１と遮光層１０２Ｂとで別々に定着処理を行うことにより、遮光層１０２Ｂと画像１０１との混濁が抑制または防止されるので、遮光層１０２Ｂと画像１０１とを高い定着エネルギーＥ２で同時に定着した場合に比べて、遮光層１０２Ｂを持つ透明フィルム１００の画像１０１の色再現性が向上する。
【０１３４】
また、遮光層１０２Ｂの定着処理では、画像１０１と遮光層１０２Ｂとで定着エネルギーを異ならせることにより、画像１０１と遮光層１０２Ｂとで表面状態（表面粗さ等）が異なり、その各々の表面での拡散、乱反射等が異なるものとなる。
【０１３５】
すなわち、画像１０１と遮光層１０２Ｂとで表面の光沢性が変わる。特に、前記第１の実施の形態で説明したのと同様に、遮光層１０２Ｂの定着処理では、定着エネルギーＥ２よりも低い定着エネルギーＥ１で定着処理を施す。これにより、高い定着エネルギーＥ２で定着処理を施す場合に比べて、定着処理後の遮光層１０２Ｂの表面粗さが画像１０１や遮光層として用いない透明色のトナー層の表面粗さよりも粗くなる。このため、遮光層１０２Ｂの表面の光沢性が画像１０１や遮光層として用いない透明色のトナー層の表面の光沢性よりも光沢性が低くなり、遮光層１０２Ｂの透明性が画像１０１や遮光層として用いない透明色のトナー層の透明性よりも下がる（遮光性が上がる）。したがって、透明フィルム１００の第１の面側から透明フィルム１００を介して画像１０１を見た場合に、遮光層１０２Ｂの遮光状態が画像１０１の透け感を抑制する上で好ましい状態になるので、遮光層１０２Ｂが無い場合に比べて、画像１０１の発色性が全体的に向上する。
【０１３６】
しかも、上記のように画像１０１において遮光層１０２Ｂとの接触面の粗さが小さくなり光沢性が上がるので、前記第１の実施の形態の遮光層１０２Ａを持つ透明フィルム１００の場合よりも画像１０１の画質および色再現性が向上する。
【０１３７】
このようにして透明フィルム１００の画像形成処理を終了する。なお、遮光層１０２Ｂを前記第１の実施の形態で説明したように形成しても良い。また、前記第１の実施の形態で説明した遮光層１０２Ａを、第３の実施の形態で説明したように形成しても良い。
【０１３８】
（第４の実施の形態）
【０１３９】
図２８は第４の実施の形態における画像形成処理後の透明フィルム１００の要部断面図である。
【０１４０】
本実施の形態においては、透明フィルム１００の第２の面に形成された画像１０１の表面粗さが、予め決められた画像の表面粗さよりも粗くなっており、その画像１０１の表面の光沢性が、予め決められた画像の表面の光沢性よりも低くなっている。
【０１４１】
画像１０１の表面粗さを粗くするには、透明フィルム１００に転写された画像１０１の定着処理時の定着エネルギーを、上記定着エネルギーＥ２より低くすれば良い。定着エネルギーを低くするには前記第１の実施の形態で説明したのと同様に、例えば、遮光層が転写されていない透明フィルム１００に対する場合よりも、定着温度を下げる、定着圧力を下げる、または定着処理の時間を短くする、これらの２以上の組み合わせることにより行う。この２以上の組み合わせについては、例えば、加熱および加圧しながらも定着時間を短くすることで定着エネルギーを低くする等、加熱、加圧および時間のいずれかの要素を大きくし、それ以外の要素を小さくすることで結果的に定着エネルギーを下げるように制御しても良い。
【０１４２】
また、画像１０１の厚さを予め決められた厚さより厚くしたり、画像１０１を予め決められた厚さより厚くすることと画像１０１の表面粗さを予め決められた画像の表面粗さよりも粗くすることとを組み合わせたりすることにより、画像１０１の遮光性が予め決められた値よりも大きくなるようにしても良い。
【０１４３】
本実施の形態においては、図２８に示すように、透明フィルム１００の第１の面側から透明フィルム１００を透過した光Ｌ１のうち、第２の面の画像１０１に当たった光の一部が光Ｌ２として反射（正反射、乱反射またはその両方）する。また、透明フィルム１００に対して第２の面側から入射した光Ｌ３が画像１０１自体により光Ｌ４で示すように拡散される。このため、透明フィルム１００の第１の面側から透明フィルム１００を介して画像１０１を見た場合に、画像１０１の遮光状態が画像１０１の透け感を抑制する上で好ましい状態になるので、画像１０１の遮光性を上げる処理を施さない場合に比べて、画像１０１の発色性が全体的に向上する。
【０１４４】
また、遮光層１０２Ａ，１０２Ｂを形成する必要がないので、透明フィルム１００の画像形成処理速度が向上する。また、遮光層１０２Ａ，１０２Ｂを形成するための白色、金色、銀色または透明色のトナーを転写する作像ユニットを設ける必要がないので、画像形成装置２の構成がより簡単化し、コストが低減する。
【０１４５】
以上、本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【０１４６】
例えば、前記実施の形態においては、中間転写ベルトに転写された画像を用紙に転写する中間転写方式の画像形成装置に適用した場合について説明したが、これに限定されるものではなく、感光体ドラムのトナーの画像を透明フィルム等に直接転写する直接転写方式の画像形成装置に適用しても良い。
【０１４７】
また、画像形成装置２に透明フィルム１００の表裏を反転させて排出する排出機構を設け、透明フィルム１００が常に第１の面を表面として排出手段９０に排出されるようにしても良い。
【産業上の利用可能性】
【０１４８】
以上の説明では、本発明をカラープリンタに適用した場合について説明したが、例えば、カラー複写機、ファクシミリまたはこれらの機能を合わせ持つ画像形成装置等、他の画像形成装置に適用しても良い。
【符号の説明】
【０１４９】
１  画像形成システム
２  画像形成装置
２Ａ  画像処理装置
２Ｂ  画像出力装置
２ＢＣ  制御部
２ＢＭ  画像形成部
３  コンピュータ
４  通信回線
２０，２０Ｙ，２０Ｍ，２０Ｃ，２０Ｋ，２０Ｗ，２０ＣＬ  作像ユニット
２１  感光体ドラム
２２  帯電装置
２３  露光装置
２４  現像装置
２５  一次転写ロール
３０  中間転写ベルト
４１  バックアップロール
４２  二次転写ロール
５０ａ，５０ｂ  給紙手段
６０  搬送系
６１ａ，６１ｂ  搬送路
６１ｃ  反転経路
６２  レジストロール
６３，６４，６５  搬送ベルト
６６ａ，６６ｂ  手段
７０  定着装置
７１  加熱ロール
７２  加圧ロール
７３  加熱ベルト
８０  冷却装置
９０  排出手段
１００  透明フィルム
１０１，１０１ｙ，１０１ｍ，１０１ｃ  画像
１０２Ａ  遮光層
１０２Ｂ  遮光層
Ｎ  定着ニップ部
【図１】
2014106340.tif 000003
【図２】
2014106340.tif 000004
【図３】
2014106340.tif 000005
【図４】
2014106340.tif 000006
【図５】
2014106340.tif 000007
【図６】
2014106340.tif 000008
【図７】
2014106340.tif 000009
【図８】
2014106340.tif 000010
【図９】
2014106340.tif 000011
【図１０】
2014106340.tif 000012
【図１１】
2014106340.tif 000013
【図１２】
2014106340.tif 000014
【図１３】
2014106340.tif 000015
【図１４】
2014106340.tif 000016
【図１５】
2014106340.tif 000017
【図１６】
2014106340.tif 000018
【図１７】
2014106340.tif 000019
【図１８】
2014106340.tif 000020
【図１９】
2014106340.tif 000021
【図２０】
2014106340.tif 000022
【図２１】
2014106340.tif 000023
【図２２】
2014106340.tif 000024
【図２３】
2014106340.tif 000025
【図２４】
2014106340.tif 000026
【図２５】
2014106340.tif 000027
【図２６】
2014106340.tif 000028
【図２７】
2014106340.tif 000029
【図２８】
2014106340.tif 000030